(57)【要約】【課題】状況ごとに合わせた着信時の鳴動動作設定を登録できる携帯電話を提供すること。【解決手段】通信網を介してデータの送受信を行う通信手段１と、音、振動、光、及び表示のいずれかを出力する出力手段２と、電話番号などの機器識別情報や各種設定情報を記憶する記憶手段１０と、機器識別情報や各種設定情報を入力する入力手段３と、データの送受信情報や各種設定情報を表示する表示手段４とを備え、前記記憶手段１０には、他の通信機器の機器識別情報及び当該通信機器の所有者名又は使用者名などの個別識別情報を登録する個別情報登録手段１１と、前記個別情報登録手段１１に登録した複数の機器識別番号をグループとして登録するグループ登録手段１２と、前記出力手段２の動作内容を設定する動作設定手段２０とを記憶し、前記通信手段１によって着信信号を受信すると、前記動作設定手段２０で設定した動作内容で前記出力手段２から出力する携帯電話装置。【選択図】        図１
2005295430.tif 000002
【特許請求の範囲】
【請求項１】
通信網を介してデータの送受信を行う通信手段と、音、振動、光、及び表示のいずれかを出力する出力手段と、電話番号などの機器識別情報や各種設定情報を記憶する記憶手段と、機器識別情報や各種設定情報を入力する入力手段と、データの送受信情報や各種設定情報を表示する表示手段とを備え、前記記憶手段には、他の通信機器の機器識別情報及び当該通信機器の所有者名又は使用者名などの個別識別情報を登録する個別情報登録手段と、前記個別情報登録手段に登録した複数の前記機器識別情報をグループとして登録するグループ登録手段と、前記出力手段の動作内容を設定する動作設定手段とを記憶し、前記通信手段によって着信信号を受信すると、前記動作設定手段で設定した動作内容で前記出力手段から出力する携帯電話装置であって、
前記記憶手段には、利用者の使用状況にあわせて前記出力手段の動作内容を設定するシチュエーションモード設定手段を有し、
前記シチュエーションモード設定手段は、
複数のシチュエーションモードの中からいずれかのシチュエーションモードを選択するシチュエーションモード選択手段と、
前記シチュエーションモード選択手段で選択したシチュエーションモードにおける前記出力手段の動作内容を設定するシチュエーション動作設定手段とを有し、
前記シチュエーション動作設定手段は、
前記グループ登録手段によって登録されたグループ情報を指定して前記出力手段の動作内容を設定するグループ別動作設定手段と、
前記個別情報登録手段によって登録された個別識別情報を指定して前記出力手段の動作内容を設定する個別動作設定手段とを有することを特徴とする携帯電話装置。
【請求項２】
前記シチュエーションモード設定手段は、
新たなシチュエーションモードを登録削除できるシチュエーションモード追加削除手段と、
既に登録されているシチュエーションモードの識別情報を変更できるシチュエーションモード名変更手段とを有することを特徴とする請求項１に記載の携帯電話装置。
【請求項３】
前記動作設定手段は、登録された個別識別情報又は登録されたグループ情報ごとに、前記出力手段の動作内容を設定する登録別動作設定手段を有し、
前記シチュエーションモード選択手段は、いずれのシチュエーションモードも行わないオフモードを有し、
前記シチュエーションモード選択手段によっていずれかのシチュエーションモードが選択されている場合には、前記登録別動作設定手段を機能させず、前記シチュエーションモード選択手段によって前記オフモードが選択されている場合には、前記登録別動作設定手段を機能させるモード選択手段を有し、
前記シチュエーション動作設定手段では、前記登録別動作設定手段で設定される動作内容とは異なる動作内容を、シチュエーションモード別に設定できる機能を有することを特徴とする請求項１に記載の携帯電話装置。
【請求項４】
前記シチュエーション動作設定手段では、シチュエーションモード別に前記出力手段の動作内容を設定できる機能を有することを特徴とする請求項１に記載の携帯電話装置。
【請求項５】
前記シチュエーション動作設定手段は、既に登録しているシチュエーションモード情報をそのまま複製することができるシチュエーション複製手段を有し、
前記シチュエーションモード追加削除手段で新たなシチュエーションモードを登録する際には、前記シチュエーション複製手段で新たなシチュエーションモードを登録できるとともに、前記シチュエーション複製手段で複製したシチュエーションモード情報を、前記グループ別動作設定手段と前記個別動作設定手段によって設定変更できる機能を有することを特徴とする請求項２に記載の携帯電話装置。
【請求項６】
前記グループ別動作設定手段と前記個別動作設定手段の設定では、前記出力手段の動作及び非動作を選択することを特徴とする請求項１に記載の携帯電話装置。
【請求項７】
前記シチュエーション動作設定手段は、シチュエーションモードに登録されなかったグループ又は個人を未登録情報として設定し、前記未登録情報について前記出力手段の動作内容を設定する未登録一括動作設定手段を有することを特徴とする請求項１に記載の携帯電話装置。
【請求項８】
前記グループ別動作設定手段及び前記個別動作設定手段に代えて、前記出力手段の動作内容を指定してグループ情報又は個別識別情報を設定する出力動作別設定手段としたことを特徴とする請求項１に記載の携帯電話装置。
【請求項９】
前記シチュエーションモード設定手段は、シチュエーションモードで登録されたグループ又は個人に対する前記出力手段の動作内容を非動作に設定することを特徴とする請求項１に記載の携帯電話装置。
【請求項１０】
前記シチュエーションモード選択手段で選択されたシチュエーションモードにおいて、前記グループ別動作設定手段によるグループ指定と、前記個別動作設定手段による個人指定とを選択できるとともに、前記グループ指定と前記個人指定とをあわせて指定できることを特徴とする請求項１に記載の携帯電話装置。
【請求項１１】
前記グループ別動作設定手段によるグループ指定と、前記個別動作設定手段による個人指定とをあわせて指定し、前記グループ指定と前記個人指定とで個別識別情報が重複した場合には、前記個別動作設定手段で設定した前記出力手段の動作内容を前記グループ別動作設定手段で設定した前記出力手段の動作内容に優先させることを特徴とする請求項１０に記載の携帯電話装置。
【請求項１２】
前記動作設定手段は、前記出力手段の特定の動作内容を非動作設定とするマナーモード設定手段を有し、
前記記憶手段には、前記シチュエーションモード設定手段と前記マナーモード設定手段とを選択するモード選択手段を有することを特徴とする請求項１に記載の携帯電話装置。
【請求項１３】
前記シチュエーションモードは、前記入力手段を構成する特定のキーの操作によって選択されることを特徴とする請求項１に記載の携帯電話装置。
【請求項１４】
前記シチュエーションモードは、前記入力手段を構成する特定のキーの操作と、前記シチュエーションモード選択用の専用キーの操作とによって選択されることを特徴とする請求項１に記載の携帯電話装置。
【請求項１５】
シチュエーションモード送信手段からのモード指示信号を受信するシチュエーションモード情報受信手段と、前記シチュエーションモード情報受信手段で受信したモード指示信号に基づいてシチュエーションモードを切替えるシチュエーションモード切替手段とを有することを特徴とする請求項１に記載の携帯電話装置。
【請求項１６】
あらかじめ設定した日時に、設定したシチュエーションモードを機能させるスケジュール設定手段を有することを特徴とする請求項１に記載の携帯電話装置。
【請求項１７】
シチュエーションモードを切替える場合に、音、振動、光、及び表示のいずれかを出力する切替内容出力手段を有することを特徴とする請求項１５又は請求項１６に記載の携帯電話装置。
【請求項１８】
前記記憶手段には、シチュエーションモードに応じた表示内容を記憶し、前記シチュエーションモード選択手段で選択されたシチュエーションモードに応じて前記表示内容を前記表示手段に表示することを特徴とする請求項１に記載の携帯電話装置。
【発明の詳細な説明】
【技術分野】
【０００１】
本発明は、利用者の使用状況にあわせて音、振動、光、及び表示のいずれかの出力動作内容を設定することができる携帯電話装置に関する。
【背景技術】
【０００２】
従来より、携帯電話には、着信音や振動を行わないように設定できるマナーモード機能が搭載されている。このマナーモード機能によれば、例えば会議中など、使用者の使用状況に応じて、鳴動機能を一括して停止することができる。
一方、ユーザの使用状況に応じて、受信を許可すべきグループを設定、変更することが可能な携帯電話が提案されている（例えば特許文献１）。この携帯電話によれば、使用者の使用状況に応じて、グループ別に着信設定を変更することができる。
【特許文献１】特開２０００−２９５６６１号公報
【発明の開示】
【発明が解決しようとする課題】
【０００３】
しかし、マナーモード機能では、着信音や振動設定などの有無の設定のみが可能であり、電話帳との関連は無いので、着信者に関わらず、鳴動させるか否かの設定しか行うことができない。
また、特許文献１のようなグループ別着信設定では、グループごとの鳴動を設定することができるが、グループごとに設定を変更しないといけない。特許文献１では、グループに重み数値を付加することにより、着信設定数値より高い重みのついているグループだけを鳴動させることができるが、使用状況に応じて、鳴動させたい人やグループが変化するときには、その都度、複数の個人やグループ設定を変更することが必要であり、状況ごとに簡単な操作で複数の設定変更を行うことはできない。
【０００４】
そこで本発明は、状況ごとに合わせた着信時の鳴動動作設定を登録できる携帯電話を提供することを目的とする。
【課題を解決するための手段】
【０００５】
請求項１記載の本発明の携帯電話装置は、通信網を介してデータの送受信を行う通信手段と、音、振動、光、及び表示のいずれかを出力する出力手段と、電話番号などの機器識別情報や各種設定情報を記憶する記憶手段と、機器識別情報や各種設定情報を入力する入力手段と、データの送受信情報や各種設定情報を表示する表示手段とを備え、前記記憶手段には、他の通信機器の機器識別情報及び当該通信機器の所有者名又は使用者名などの個別識別情報を登録する個別情報登録手段と、前記個別情報登録手段に登録した複数の前記機器識別情報をグループとして登録するグループ登録手段と、前記出力手段の動作内容を設定する動作設定手段とを記憶し、前記通信手段によって着信信号を受信すると、前記動作設定手段で設定した動作内容で前記出力手段から出力する携帯電話装置であって、前記記憶手段には、利用者の使用状況にあわせて前記出力手段の動作内容を設定するシチュエーションモード設定手段を有し、前記シチュエーションモード設定手段は、複数のシチュエーションモードの中からいずれかのシチュエーションモードを選択するシチュエーションモード選択手段と、前記シチュエーションモード選択手段で選択したシチュエーションモードにおける前記出力手段の動作内容を設定するシチュエーション動作設定手段とを有し、前記シチュエーション動作設定手段は、前記グループ登録手段によって登録されたグループ情報を指定して前記出力手段の動作内容を設定するグループ別動作設定手段と、前記個別情報登録手段によって登録された個別識別情報を指定して前記出力手段の動作内容を設定する個別動作設定手段とを有することを特徴とする。
請求項２記載の本発明は、請求項１に記載の携帯電話装置において、前記シチュエーションモード設定手段は、新たなシチュエーションモードを登録削除できるシチュエーションモード追加削除手段と、既に登録されているシチュエーションモードの識別情報を変更できるシチュエーションモード名変更手段とを有することを特徴とする。
請求項３記載の本発明は、請求項１に記載の携帯電話装置において、前記動作設定手段は、登録された個別識別情報又は登録されたグループ情報ごとに、前記出力手段の動作内容を設定する登録別動作設定手段を有し、前記シチュエーションモード選択手段は、いずれのシチュエーションモードも行わないオフモードを有し、前記シチュエーションモード選択手段によっていずれかのシチュエーションモードが選択されている場合には、前記登録別動作設定手段を機能させず、前記シチュエーションモード選択手段によって前記オフモードが選択されている場合には、前記登録別動作設定手段を機能させるモード選択手段を有し、前記シチュエーション動作設定手段では、前記登録別動作設定手段で設定される動作内容とは異なる動作内容を、シチュエーションモード別に設定できる機能を有することを特徴とする。
請求項４記載の本発明は、請求項１に記載の携帯電話装置において、前記シチュエーション動作設定手段では、シチュエーションモード別に前記出力手段の動作内容を設定できる機能を有することを特徴とする。
請求項５記載の本発明は、請求項２に記載の携帯電話装置において、前記シチュエーション動作設定手段は、既に登録しているシチュエーションモード情報をそのまま複製することができるシチュエーション複製手段を有し、前記シチュエーションモード追加削除手段で新たなシチュエーションモードを登録する際には、前記シチュエーション複製手段で新たなシチュエーションモードを登録できるとともに、前記シチュエーション複製手段で複製したシチュエーションモード情報を、前記グループ別動作設定手段と前記個別動作設定手段によって設定変更できる機能を有することを特徴とする。
請求項６記載の本発明は、請求項１に記載の携帯電話装置において、前記グループ別動作設定手段と前記個別動作設定手段の設定では、前記出力手段の動作及び非動作を選択することを特徴とする。
請求項７記載の本発明は、請求項１に記載の携帯電話装置において、前記シチュエーション動作設定手段は、シチュエーションモードに登録されなかったグループ又は個人を未登録情報として設定し、前記未登録情報について前記出力手段の動作内容を設定する未登録一括動作設定手段を有することを特徴とする。
請求項８記載の本発明は、請求項１に記載の携帯電話装置において、前記グループ別動作設定手段及び前記個別動作設定手段に代えて、前記出力手段の動作内容を指定してグループ情報又は個別識別情報を設定する出力動作別設定手段としたことを特徴とする。
請求項９記載の本発明は、請求項１に記載の携帯電話装置において、前記シチュエーションモード設定手段は、シチュエーションモードで登録されたグループ又は個人に対する前記出力手段の動作内容を非動作に設定することを特徴とする。
請求項１０記載の本発明は、請求項１に記載の携帯電話装置において、前記シチュエーションモード選択手段で選択されたシチュエーションモードにおいて、前記グループ別動作設定手段によるグループ指定と、前記個別動作設定手段による個人指定とを選択できるとともに、前記グループ指定と前記個人指定とをあわせて指定できることを特徴とする。
請求項１１記載の本発明は、請求項１０に記載の携帯電話装置において、前記グループ別動作設定手段によるグループ指定と、前記個別動作設定手段による個人指定とをあわせて指定し、前記グループ指定と前記個人指定とで個別識別情報が重複した場合には、前記個別動作設定手段で設定した前記出力手段の動作内容を前記グループ別動作設定手段で設定した前記出力手段の動作内容に優先させることを特徴とする。
請求項１２記載の本発明は、請求項２に記載の携帯電話装置において、前記動作設定手段は、前記出力手段の特定の動作内容を非動作設定とするマナーモード設定手段を有し、
前記記憶手段には、前記シチュエーションモード設定手段と前記マナーモード設定手段とを選択するモード選択手段を有することを特徴とする。
請求項１３記載の本発明は、請求項１に記載の携帯電話装置において、前記シチュエーションモードは、前記入力手段を構成する特定のキーの操作によって選択されることを特徴とする。
請求項１４記載の本発明は、請求項１に記載の携帯電話装置において、前記シチュエーションモードは、前記入力手段を構成する特定のキーの操作と、前記シチュエーションモード選択用の専用キーの操作とによって選択されることを特徴とする。
請求項１５記載の本発明は、請求項１に記載の携帯電話装置において、シチュエーションモード送信手段からのモード指示信号を受信するシチュエーションモード情報受信手段と、前記シチュエーションモード情報受信手段で受信したモード指示信号に基づいてシチュエーションモードを切替えるシチュエーションモード切替手段とを有することを特徴とする。
請求項１６記載の本発明は、請求項１に記載の携帯電話装置において、あらかじめ設定した日時に、設定したシチュエーションモードを機能させるスケジュール設定手段を有することを特徴とする。
請求項１７記載の本発明は、請求項１５又は請求項１６に記載の携帯電話装置において、シチュエーションモードを切替える場合に、音、振動、光、及び表示のいずれかを出力する切替内容出力手段を有することを特徴とする。
請求項１８記載の本発明は、請求項１に記載の携帯電話装置において、前記記憶手段には、シチュエーションモードに応じた表示内容を記憶し、前記シチュエーションモード選択手段で選択されたシチュエーションモードに応じて前記表示内容を前記表示手段に表示することを特徴とする。
【発明の効果】
【０００６】
本発明によれば、例えば「勤務中」や「遊び」などといった使用状況に合わせて、グループ情報や個別情報ごとの着信動作を行うことができる。
【発明を実施するための最良の形態】
【０００７】
本発明の第１の実施の形態による携帯電話装置は、記憶手段には、利用者の状況にあわせて出力手段の動作内容を設定するシチュエーションモード設定手段を有し、シチュエーションモード設定手段は、複数のシチュエーションモードの中からいずれかのシチュエーションモードを選択するシチュエーションモード選択手段と、シチュエーションモード選択手段で選択したシチュエーションモードにおける出力手段の動作内容を設定するシチュエーション動作設定手段とを有し、シチュエーション動作設定手段は、グループ登録手段によって登録されたグループ情報を指定して出力手段の動作内容を設定するグループ別動作設定手段と、個別情報登録手段によって登録された個別識別情報を指定して出力手段の動作内容を設定する個別動作設定手段とを有するものである。本実施の形態によれば、状況ごとに合わせた着信時の鳴動動作設定を登録でき、使用状況に合わせてグループ情報や個別情報ごとの着信動作を行うことができる。
本発明の第２の実施の形態は、第１の実施の形態による携帯電話装置において、シチュエーションモード設定手段は、新たなシチュエーションモードを登録削除できるシチュエーションモード追加削除手段と、既に登録されているシチュエーションモードの識別情報を変更できるシチュエーションモード名変更手段とを有するものである。本実施の形態によれば、シチュエーションモードを追加できるとともに、設定名を自由に変更することができる。
本発明の第３の実施の形態は、第１の実施の形態による携帯電話装置において、動作設定手段は、登録された個別識別情報又は登録されたグループ情報ごとに、出力手段の動作内容を設定する登録別動作設定手段を有し、シチュエーションモード選択手段は、いずれのシチュエーションモードも行わないオフモードを有し、シチュエーションモード選択手段によっていずれかのシチュエーションモードが選択されている場合には、登録別動作設定手段を機能させず、シチュエーションモード選択手段によってオフモードが選択されている場合には、登録別動作設定手段を機能させるモード選択手段を有し、シチュエーション動作設定手段では、登録別動作設定手段で設定される動作内容とは異なる動作内容を、シチュエーションモード別に設定できる機能を有するものである。本実施の形態によれば、個人、グループごとに設定されている着信音とは別に、状況ごとの着信音を設定することができ、シチュエーションモードに設定されていない場合には、例えば個人、グループ別に設定した着信音を鳴らすことができる。
本発明の第４の実施の形態は、第１の実施の形態による携帯電話装置において、シチュエーション動作設定手段では、シチュエーションモード別に出力手段の動作内容を設定できる機能を有するものである。本実施の形態によれば、状況ごとに合わせた着信時の動作設定を複数登録することができる。
本発明の第５の実施の形態は、第２の実施の形態による携帯電話装置において、シチュエーション動作設定手段は、既に登録しているシチュエーションモード情報をそのまま複製することができるシチュエーション複製手段を有し、シチュエーションモード追加削除手段で新たなシチュエーションモードを登録する際には、シチュエーション複製手段で新たなシチュエーションモードを登録できるとともに、シチュエーション複製手段で複製したシチュエーションモード情報を、グループ別動作設定手段と個別動作設定手段によって設定変更できる機能を有するものである。本実施の形態によれば、特に設定内容が共通する複数の状況を登録する際に、変更箇所だけを設定すればよく、設定の手間を省くことができる。
本発明の第６の実施の形態は、第１の実施の形態による携帯電話装置において、グループ別動作設定手段と個別動作設定手段の設定では、出力手段の動作及び非動作を選択するものである。本実施の形態によれば、状況別設定を、グループごと、機能別に、動作するかしないを選択するために、設定を容易に行うことができる。
本発明の第７の実施の形態は、第１の実施の形態による携帯電話装置において、シチュエーション動作設定手段は、シチュエーションモードに登録されなかったグループ又は個人を未登録情報として設定し、未登録情報について出力手段の動作内容を設定する未登録一括動作設定手段を有するものである。本実施の形態によれば、状況別設定に登録していないグループまたは個人を、その他のグループとして一括して扱うことができ、設定の手間を省くことができる。
本発明の第８の実施の形態は、第１の実施の形態による携帯電話装置において、グループ別動作設定手段及び個別動作設定手段に代えて、出力手段の動作内容を指定してグループ情報又は個別識別情報を設定する出力動作別設定手段としたものである。本実施の形態によれば、機能ごとに動作させたいグループまたは個人だけを登録することができる。
本発明の第９の実施の形態は、第１の実施の形態による携帯電話装置において、シチュエーションモード設定手段は、シチュエーションモードで登録されたグループ又は個人に対する出力手段の動作内容を非動作に設定するものである。本実施の形態によれば、機能ごとに動作させたくないグループまたは個人だけを登録することができる。
本発明の第１０の実施の形態は、第１の実施の形態による携帯電話装置において、シチュエーションモード選択手段で選択されたシチュエーションモードにおいて、グループ別動作設定手段によるグループ指定と、個別動作設定手段による個人指定とを選択できるとともに、グループ指定と個人指定とをあわせて指定できるものである。本実施の形態によれば、状況別設定に登録できる単位を、グループや個人のように複数一斉でも個別でも行うことができ、設定を容易に行うことができる。
本発明の第１１の実施の形態は、第１０の実施の形態による携帯電話装置において、グループ別動作設定手段によるグループ指定と、個別動作設定手段による個人指定とをあわせて指定し、グループ指定と個人指定とで個別識別情報が重複した場合には、個別動作設定手段で設定した出力手段の動作内容をグループ別動作設定手段で設定した出力手段の動作内容に優先させるものである。本実施の形態によれば、グループで登録されている人を個人でも登録した場合には、個人登録設定が優先されるため、グループ登録されている個人をグループから例外的に外したい設定を容易に行うことができる。
本発明の第１２の実施の形態は、第１の実施の形態による携帯電話装置において、動作設定手段は、出力手段の特定の動作内容を非動作設定とするマナーモード設定手段を有し、記憶手段には、シチュエーションモード設定手段とマナーモード設定手段とを選択するモード選択手段を有するものである。本実施の形態によれば、従来のマナーモードとシチュエーションモードとを選択して利用することができる。
本発明の第１３の実施の形態は、第１の実施の形態による携帯電話装置において、シチュエーションモードは、入力手段を構成する特定のキーの操作によって選択されるものである。本実施の形態によれば、任意のタイミングで手動操作により特定のボタンを押すことで状況選択を行うことができる。
本発明の第１４の実施の形態は、第１の実施の形態による携帯電話装置において、シチュエーションモードは、入力手段を構成する特定のキーの操作と、シチュエーションモード選択用の専用キーの操作とによって選択されるものである。本実施の形態によれば、入力手段を構成するキーによって状況設定番号を入力してから、従来のマナーモード設定方法と同様にシチュエーションモード選択用の専用キーを操作することで状況選択を行うことができる。
本発明の第１５の実施の形態は、第１の実施の形態による携帯電話装置において、シチュエーションモード送信手段からのモード指示信号を受信するシチュエーションモード情報受信手段と、シチュエーションモード情報受信手段で受信したモード指示信号に基づいてシチュエーションモードを切替えるシチュエーションモード切替手段とを有するものである。本実施の形態によれば、例えばブルートゥースなどの近距離無線通信を利用し、自動で状況に合った設定に変更することができる。
本発明の第１６の実施の形態は、第１の実施の形態による携帯電話装置において、あらかじめ設定した日時に、設定したシチュエーションモードを機能させるスケジュール設定手段を有するものである。本実施の形態によれば、例えば、スケジュール帳と連動させて、あらかじめ設定した日時に自動的に設定変更を行うことができる。
本発明の第１７の実施の形態は、第１５又は第１６の実施の形態による携帯電話装置において、シチュエーションモードを切替える場合に、音、振動、光、及び表示のいずれかを出力する切替内容出力手段を有するものである。本実施の形態によれば、自動で設定を切替えたときに特定の音や振動で知らせることができる。
本発明の第１８の実施の形態は、第１の実施の形態による携帯電話装置において、記憶手段には、シチュエーションモードに応じた表示内容を記憶し、シチュエーションモード選択手段で選択されたシチュエーションモードに応じて表示内容を表示手段に表示するものである。本実施の形態によれば、現在の状況設定がわかるような表示を、液晶画面に表示させることで現在の設定を把握することができる。
【実施例】
【０００８】
本発明の一実施例による携帯電話について説明する。
図１は、同実施例による携帯電話の構成を機能実現手段で表したブロック図である。
同実施例による携帯電話は、通信網を介してデータの送受信を行う通信手段１と、音、振動、光、及び表示のいずれかを出力する出力手段２と、機器識別情報や各種設定情報を入力する入力手段３と、データの送受信情報や各種設定情報を表示する表示手段４と、シチュエーションモード送信手段５からのモード指示信号を受信するシチュエーションモード情報受信手段６と、電話番号などの機器識別情報や各種設定情報を記憶する記憶手段１０とを備えている。ここで、シチュエーションモード送信手段５は、例えばブルートゥースなどの近距離無線通信機器であり、病院や劇場などの特定の建物内、会議室や寝室などの特定の空間内、又は電車や航空機などの特定の乗り物内を通信エリアとして設置される。
記憶手段１０には、他の通信機器の識別情報及び当該通信機器の所有者名又は使用者名などの個別識別情報を登録する個別情報登録手段１１と、個別情報登録手段１１に登録した複数の機器識別番号をグループとして登録するグループ登録手段１２と、スケジュール予定などを登録するスケジュール設定手段１３とを記憶している。また、記憶手段１０には、個別情報登録手段１１で登録された情報を記憶する個別情報記憶手段１４と、グループ登録手段１２で登録された情報を記憶するグループ情報記憶手段１５と、スケジュール設定手段１３で登録された情報を記憶するスケジュール情報記憶手段１６を有している。
更に、記憶手段１０には、出力手段２の動作内容を設定する動作設定手段２０と、利用者の使用状況にあわせて出力手段２の動作内容を設定するシチュエーションモード設定手段３０を記憶している。
動作設定手段２０は、出力手段２の特定の動作内容を非動作設定とするマナーモード設定手段２１と、登録された個別識別情報又は登録されたグループ情報ごとに出力手段２の動作内容を設定する登録別動作設定手段２２と、モード選択手段２３とを有し、通信手段１によって着信信号を受信すると、設定された動作内容を出力手段２に出力する。モード選択手段２３では、シチュエーションモード設定手段３０とマナーモード設定手段２１とのいずれかの設定を選択する。従って、マナーモード設定手段２１が選択された場合には、シチュエーションモード設定手段３０で設定された内容は機能しない。また、マナーモード設定手段２１が選択された場合には、登録別動作設定手段２２で設定された内容も機能しない。また、シチュエーションモード選択手段３１は、いずれのシチュエーションモードも行わないオフモードを有し、モード選択手段２３では、シチュエーションモード選択手段３１によっていずれかのシチュエーションモードが選択されている場合には、登録別動作設定手段２２を機能させず、シチュエーションモード選択手段３１によってオフモードが選択されている場合には、登録別動作設定手段２２を機能させる。
【０００９】
シチュエーションモード設定手段３０は、複数のシチュエーションモードの中からいずれかのシチュエーションモードを選択するシチュエーションモード選択手段３１と、新たなシチュエーションモードを登録及び削除できるシチュエーションモード追加削除手段３２と、既に登録されているシチュエーションモードの識別情報を変更できるシチュエーションモード名変更手段３３と、シチュエーションモードの選択を、手動モード、自動モード、又は半自動モードとするシチュエーションモード切替手段３４と、シチュエーションモード選択手段３１で選択したシチュエーションモードにおける出力手段２の動作内容を設定するシチュエーション動作設定手段４０とを有している。シチュエーションモード切替手段３４において、自動モードを選択している場合には、シチュエーションモード情報受信手段６で受信したモード指示信号に基づいてシチュエーションモードを切替えることができる。このように、シチュエーションモード切替手段３４では、自動切替え設定を利用するかしないかを選択可能にするものである。半自動モードは、自動切替えエリアに入ったときの一度のみ自動変更で、以後はエリアを一度出るまでは自動変更されないようにすることで、自動設定エリア内でも好きなモードに切替え可能にするモードであり、自動モードは、自動設定エリア内では他の設定に切替えても必ず自動設定に変更される強制モードである。
シチュエーション動作設定手段４０は、グループ登録手段１２によって登録されたグループ情報を指定して出力手段２の動作内容を設定するグループ別動作設定手段４１と、個別情報登録手段１１によって登録された個別識別情報を指定して出力手段２の動作内容を設定する個別動作設定手段４２と、既に登録しているシチュエーションモード情報をそのまま複製することができるシチュエーション複製手段４３と、シチュエーションモードに登録されなかったグループ又は個人を未登録情報として設定し、この未登録情報について出力手段２の動作内容を設定する未登録一括動作設定手段４４と、出力手段２の動作内容を指定してグループ情報又は個別識別情報を設定する出力動作別設定手段４５とを有する。グループ別動作設定手段４１と個別動作設定手段４２の設定では、出力手段２の動作及び非動作を選択できることが好ましい。また、出力動作別設定手段４５は、グループ別動作設定手段４１及び個別動作設定手段４２とともに、又はグループ別動作設定手段４１及び個別動作設定手段４２に代えて、出力手段２の動作内容を指定してグループ情報又は個別識別情報を設定する。
【００１０】
シチュエーションモード設定手段３０は、シチュエーションモードで登録されたグループ又は個人に対する出力手段２の動作内容を非動作に設定する機能を有し、動作させたくないグループまたは個人だけを登録することができる。また、シチュエーションモード選択手段３１で選択されたシチュエーションモードにおいて、グループ別動作設定手段４１によるグループ指定と、個別動作設定手段４２による個人指定とを選択できるとともに、グループ指定と個人指定とをあわせて指定できる。このように、状況別設定に登録できる単位を、グループや個人のように複数一斉でも個別でも登録を行うことができることで、設定を容易に行うことができる。また、グループ別動作設定手段４１によるグループ指定と、個別動作設定手段４２による個人指定とをあわせて指定し、グループ指定と個人指定とで個別識別情報が重複した場合には、個別動作設定手段４２で設定した出力手段２の動作内容をグループ別動作設定手段４１で設定した出力手段２の動作内容に優先させる優先手段を有している。このように、グループで登録されている人を個人でも登録した場合には、個人登録設定を優先することで、グループ登録されている個人をグループから例外的に外したい設定を容易に行うことができる。
【００１１】
シチュエーションモード設定手段３０で設定されたシチュエーションモード内容はシチュエーションモード記憶手段１７に記憶される。また、シチュエーションモード記憶手段１７には、シチュエーションモードに応じた表示内容を記憶し、シチュエーションモード選択手段３１で選択されたシチュエーションモードに応じて表示内容を表示手段４に表示する。このように、現在の状況設定がわかるような表示、例えば設定番号や設定名の頭文字（勤務中ならば「勤」）を、表示装置４である液晶画面に表示させることで現在の設定を把握することができる。
シチュエーション動作設定手段４０では、シチュエーションモード別に出力手段３の動作内容を設定できる機能を有し、また登録別動作設定手段２２で設定される動作内容とは異なる動作内容を、シチュエーションモード別に設定できる機能を有する。
シチュエーションモード追加削除手段３２で新たなシチュエーションモードを登録する際には、シチュエーション複製手段４３で新たなシチュエーションモードを登録できるとともに、シチュエーション複製手段４３で複製したシチュエーションモード情報を、グループ別動作設定手段４１と個別動作設定手段４２によって設定変更できる機能を有する。
【００１２】
記憶手段１０には、出力手段２に対して出力信号を出力する切替内容出力手段１８と、入力手段３を構成する特定のキーの操作や専用キーの操作を判別してモード選択手段２３に出力するキー操作判別手段１９とを記憶している。
切替内容出力手段１８は、シチュエーションモード情報受信手段６で受信したモード指示信号に基づいてシチュエーションモードを切替える場合や、スケジュール設定手段１３に基づいてあらかじめ設定した日時に、設定したシチュエーションモードを機能させる場合に、音、振動、光、及び表示のいずれかを出力することで、自動で設定を切替えたことを知らせるものである。
キー操作判別手段１９では、入力手段３を構成する特定のキーの操作を判別してシチュエーションモードを選択する。又はキー操作判別手段１９では、特定のキーの操作と、シチュエーションモード選択用の専用キーの操作を判別してシチュエーションモードを選択する。
【００１３】
次に、同実施例による携帯電話でのシチュエーションモード設定における処理流れを、表示手段での操作画面を基に説明する。
図２は、同実施例による携帯電話のシチュエーションモード設定における画面遷移図である。
まず、以下の説明で用いる用語について説明する。
ソフトキーとは、携帯電話特有のキーであり、状況により表示画面の左右下に表示され、各種コマンドに対応した役割を持たせることができるキーである。表示画面の一端側（左側）に表示されるボタンを左ソフトキーと呼び、表示画面の他端側（右側）に表示されるボタンを右ソフトキーと呼ぶ。
センターキーとは、携帯電話の十字キー(移動キー、ナビゲーションキー)の真中に配置され、選択や決定などに使用されることが多いキーである。
また、図２における表示画面で、符号を付したメニューは、ユーザー操作により選択可能なコマンドであり、十字キーで選択してセンターキーを押下し、又は数字に対応した数字キーを押下することで選択することができる。
また、表示画面の左右下の位置で、枠で囲まれている文字がソフトキーで操作できるメニューを意味している。別のキー操作で実現することも可能である。
【００１４】
初期操作として、通常の待ち受け画面からメニュー操作でシチュエーション設定画面Ｇ１を呼び出す（ステップ１）。ステップ１において、従来のマナーモードかシチュエーションモードかを選択する。同図では、「２．シチュエーションモード」を選択した状態を示している。ステップ１において、右ソフトキーを押下するとモード切替え画面Ｇ２が表示される（ステップ２）一方、ステップ１において、センターキーを押下すると、シチュエーションモード選択画面Ｇ３が表示される（ステップ３）。
ステップ２において表示されるモード切替画面Ｇ２では、手動モード、自動モード、又は半自動モードを選択することができる。
ステップ３におけるシチュエーションモード選択画面Ｇ３では、「２．遊び」を選択した状態を示している。「２．遊び」にカーソルがある状態でセンターキーを押下すると遊びモードが選択されたことになり、着信設定が遊び状態に設定され、待ち受け画面Ｇ４に選んだシチュエーションがわかるようなマーク（「遊」なる表示）が表示される（ステップ４）。ステップ３におけるシチュエーションモード選択画面Ｇ３で、「２．遊び」にカーソルがある状態で右ソフトキーを押下するとメニュー画面Ｇ５が表示される（ステップ５）。
【００１５】
ステップ５におけるメニュー画面Ｇ５で「１．編集」を選択することで、シチュエーション２を編集する表示画面Ｇ６が表示される（ステップ６）。ステップ６では、動作させたいグループの動作させたい機能の欄にチェックをつけることで、動作設定を行うことができる。表示画面Ｇ６では、既に登録されているグループを、最初から全て表示した設定を表示している。「鳴動」や「振動」のような出力機能が複数あり、表示画面に入らない場合は横にスクロールする。グループだけでなく個人もリストに追加可能であり、右ソフトキーを押下することでステップ９に進み、メニュー画面Ｇ９を開くことで個人を追加登録できる状態となる。
ステップ５におけるメニュー画面Ｇ５で「２．コピー」を選択することで、シチュエーション２のコピー確認画面Ｇ７が表示される（ステップ７）。
ステップ７におけるコピー確認画面Ｇ７で「ＹＥＳ」を選択してコピーを実行した後はコピー先を指定できる。ステップ７におけるコピー後は、シチュエーションモード選択画面Ｇ３に「コピー遊び」という項目が追加される。
ステップ５におけるメニュー画面Ｇ５で「３．削除」を選択することで、シチュエーション２の削除確認画面Ｇ８が表示される（ステップ８）。ステップ８における削除後は、シチュエーションモード選択画面Ｇ３の「２.遊び」という項目が「２.未設定」と表示される。
【００１６】
ステップ９におけるメニュー画面Ｇ９では「１．個人登録」「２．全てチェックＯＮ」「３．全てチェックＯＦＦ」又は「４．シチュエーション設定」を選択することができる。
ステップ９におけるメニュー画面Ｇ９で「１．個人登録」を選択した場合には、個人を選択するための検索方法選択画面Ｇ１０、Ｇ１１Ａが順に表示され、一般の電話帳検索と同様の検索を行うことができる（ステップ１０、ステップ１１）。なお、ステップ１０における検索方法選択画面Ｇ１０で「２．振り仮名検索」を選択した場合には、振り仮名検索画面Ｇ１１Ｂが表示され、「３．メモリ番号検索」を選択した場合には、メモリ番号検索画面Ｇ１１Ｃが表示され、検索を行うことができる（ステップ１１）。
ステップ９におけるメニュー画面Ｇ９で「４．シチュエーション設定」を選択した場合には、設定画面Ｇ１２が表示され、シチュエーションごとの設定を行える（ステップ１２）。ステップ１２では、設定名称を代表に、着信音、ライトなど、個人、グループとは違うシチュエーションごとの設定を行うことができる。
個人を選択する画面Ｇ１３では、複数の人を同一画面にて設定することができるように、チェック欄を表示しており、それぞれのチェック欄で振動設定の有無を設定することができる（ステップ１３）。ステップ１３においては、全チェックＯＮと全チェックＯＦＦボタンによって複数選択の際に便利になるように配慮している。
ステップ１３において、新たに選択した個人が追加されると、動作一覧画面Ｇ１４に示すように、個人追加後のシチュエーション２  遊びの動作一覧を表示させて確認を行うことができる（ステップ１４）。
【００１７】
図３は、同実施例による携帯電話のシチュエーションモード設定における登録例を示す画面遷移図である。
シチュエーションモード設定１画面Ｇ３１では、シチュエーションモードとして「勤務中」を既に登録している場合を示している。シチュエーションモード設定１画面Ｇ３１に示すように、着信機能として「着信音」「振動」「ライト」・・が設定され、「着信音」には、「取引先」と「会社」が動作させるグループとして登録されている。また「振動」には、「取引先」と「友達」と「松下社長」とが登録されている。「ライト」は未登録である。
この状態から、「ライト」設定を行う場合には、ライト設定における動作させたいグループ選択画面Ｇ３２を表示し、設定対象のグループのチェック欄にチェックを行う。ライト設定における動作させたいグループ選択画面Ｇ３２では、「グループ１：取引先」と「個人を選択」を設定対象として選択した状態を示している。
この状態から、「個人を選択」設定を行う場合には、ライト設定における動作させたい個人選択画面Ｇ３３を表示し、該当する個人を選択する。ここでは「松下太郎」を選択する。
以上のように「ライト」設定を行うことにより、シチュエーションモード設定１画面Ｇ３４では、「ライト」には、「取引先」と「松下太郎」とが追加登録される。
【００１８】
図４は、同実施例による携帯電話の動作処理を示すフローチャートである。
携帯電話の電源をＯＮすることで通信状態が可能になる。まず、着信の有無状態が判断され（ステップ４１）、ステップ４１において着信がない状態では、シチュエーションモードの変更が可能である。ステップ４２において、シチュエーションモードの変更命令の有無を判断し、シチュエーションモードの変更命令があるとシチュエーションモードを変更し（ステップ４３）、着信待ち受け状態に戻る。ステップ４２において、シチュエーションモードの変更命令が無い場合には、シチュエーションモード設定命令の有無を判断する（ステップ４４）。ステップ４４において、シチュエーションモードの設定命令が無いと着信待ち受け状態に戻る。
ステップ４４において、シチュエーションモードの設定命令があるとシチュエーションモード記憶手段からプロファイルを読み込み（ステップ４５）、記憶されたプロファイルが表示される（ステップ４６）。ステップ４６において、表示されたプロファイルの内容を基にプロファイルの内容を変更する（ステップ４７）。ステップ４７において変更すべきプロファイルの内容が入力されると変更したプロファイルの内容を保存し（ステップ４８）、着信待ち受け状態に戻る。
【００１９】
ステップ４１において着信が判断されると鳴動動作を行う（ステップ５０）。
鳴動動作を行うにあたっては、まず発信者に関するプロファイルをシチュエーションモード記憶手段から読み込む（ステップ５１）。そして、読み込まれたプロファイルから発信者に対する鳴動設定がＯＮか否かを判断する（ステップ５２）。
ステップ５２において、発信者に対する鳴動設定がＯＮあれば、発信者に対する振動設定がＯＮか否かを判断する（ステップ５３）。ステップ５３において、発信者に対する振動設定がＯＮであれば、着信音を鳴らして振動させる（ステップ５４）。ステップ５３において、発信者に対する振動設定がＯＦＦであれば、着信音を鳴らす（ステップ５５）。
ステップ５２において、発信者に対する鳴動設定がＯＦＦであれば、発信者に対する振動設定がＯＮか否かを判断する（ステップ５６）。ステップ５６において、発信者に対する振動設定がＯＮであれば、振動させる（ステップ５７）。ステップ５６において、発信者に対する振動設定がＯＦＦであれば、着信音は鳴らさず、また振動もさせない。
ステップ５４において所定時間着信音を鳴らし振動させた後、ステップ５５において所定時間着信音を鳴らした後、ステップ５７において所定時間振動させた後、ステップ５６において発信者に対する振動設定がＯＦＦの場合には所定時間経過後、着信を終了して（ステップ５８）、鳴動を終了する。
【００２０】
以上のように、本実施例によれば、状況ごとに合わせた着信時の鳴動動作設定を登録でき、例えば「勤務中」や「遊び」などといった使用状況に合わせて、グループ情報や個別情報ごとの着信動作を行うことができる。
また、本実施例によれば、シチュエーションモード設定手段３０は、シチュエーションモード追加削除手段３２と、シチュエーションモード名変更手段３３とを有することで、シチュエーションモードを追加できるとともに、状況名（設定名）を自由に変更することができる。
また、本実施例によれば、シチュエーションモード選択手段３１によっていずれかのシチュエーションモードが選択されている場合には、登録別動作設定手段２２を機能させず、シチュエーションモード選択手段３１によってオフモードが選択されている場合には、登録別動作設定手段２２を機能させるモード選択手段２３を有し、シチュエーション動作設定手段４０では、登録別動作設定手段２２で設定される動作内容とは異なる動作内容を、シチュエーションモード別に設定できる機能を有するため、個人、グループごとに設定されている着信音（メロディー）とは別に、状況ごとの着信音を設定することができ、シチュエーションモードに設定されていない場合には、例えば個人、グループ別に設定した着信音を鳴らすことができる。
また、本実施例によれば、シチュエーション動作設定手段４０では、シチュエーションモード別に出力手段２の動作内容を設定できる機能を有するため、状況ごとに合わせた着信時の動作設定を複数登録することができる。
また、本実施例によれば、シチュエーションモード追加削除手段３２で新たなシチュエーションモードを登録する際には、シチュエーション複製手段４３で新たなシチュエーションモードを登録できるとともに、シチュエーション複製手段４３で複製したシチュエーションモード情報を、グループ別動作設定手段４１と個別動作設定手段４２によって設定変更できる機能を有するため、特に設定内容が共通する複数の状況を登録する際に、変更箇所だけを設定すればよく、設定の手間を省くことができる。
また、本実施例によれば、グループ別動作設定手段４１と個別動作設定手段４２の設定では、出力手段の動作及び非動作を選択するため、設定を容易に行うことができる。
また、本実施例によれば、シチュエーション動作設定手段４０は、シチュエーションモードに登録されなかったグループ又は個人を未登録情報として設定し、未登録情報について出力手段３の動作内容を設定する未登録一括動作設定手段４４を有するため、状況別設定に登録していないグループまたは個人を、その他のグループとして一括して扱うことができる。
また、本実施例によれば、出力手段２の動作内容を指定してグループ情報又は個別識別情報を設定する出力動作別設定手段４５を有するため、機能ごとに動作させたいグループまたは個人だけを登録することができる。
また、本実施例によれば、シチュエーションモードで登録されたグループ又は個人に対する出力手段の動作内容を非動作に設定することができるため、機能ごとに動作させたくないグループまたは個人だけを登録することができる。
また、本実施例によれば、グループ別動作設定手段４１によるグループ指定と、個別動作設定手段４２による個人指定とを選択できるとともに、グループ指定と個人指定とをあわせて指定できるため、状況別設定に登録できる単位を、グループや個人のように複数一斉でも個別でも行うことができ、設定を容易に行うことができる。
また、本実施例によれば、グループ指定と個人指定とで個別識別情報が重複した場合には、個別動作設定手段４２で設定した出力手段２の動作内容をグループ別動作設定手段４１で設定した出力手段２の動作内容に優先させるため、グループで登録されている人を個人でも登録した場合には、グループ登録されている個人をグループから例外的に除外する設定を容易に行うことができる。
また、本実施例によれば、従来のマナーモードとシチュエーションモードとを選択して利用することができる。
また、本実施例によれば、シチュエーションモード選択手段３０は、入力手段３を構成する特定のキーの操作によって選択されるため、任意のタイミングで手動操作により状況選択を行うことができる。
また、本実施例によれば、シチュエーションモード選択手段３０は、入力手段３を構成する特定のキーの操作と、シチュエーションモード選択用の専用キーの操作とによって選択されるため、従来のマナーモード設定方法と同様にシチュエーションモード選択用の専用キーを操作することで状況選択することができる。
また、本実施例によれば、シチュエーションモード情報受信手段６で受信したモード指示信号に基づいてシチュエーションモードを切替えるため、近距離無線通信を利用して、自動で状況に合った設定に変更することができる。
また、本実施例によれば、スケジュール設定手段１３によって、例えば、スケジュール帳と連動させて、あらかじめ設定した日時に自動的に設定変更を行うことができる。
また、本実施例によれば、切替内容出力手段１８を有するため、自動で設定を切替えたときに特定の音や振動で知らせることができる。
また、本実施例によれば、シチュエーションモード選択手段３１で選択されたシチュエーションモードに応じて表示手段４に、現在の状況設定がわかるような表示をさせることで現在の設定を把握することができる。
【産業上の利用可能性】
【００２１】
以上のように、本発明は、着信を知らせる携帯電話装置に適用できるとともに、その他の受信装置に利用することができる。
【図面の簡単な説明】
【００２２】
【図１】本発明の一実施例による携帯電話の構成を機能実現手段で表したブロック図
【図２】同実施例による携帯電話のシチュエーションモード設定における画面遷移図
【図３】同実施例による携帯電話のシチュエーションモード設定における登録例を示す画面遷移図
【図４】同実施例による携帯電話の動作処理を示すフローチャート
【符号の説明】
【００２３】
１  通信手段
２  出力手段
３  入力手段
４  表示手段
５  シチュエーションモード送信手段
６  シチュエーションモード情報受信手段
１０  記憶手段
１１  個別情報登録手段
１２  グループ登録手段
１３  スケジュール設定手段
１８  切替内容出力手段
１９  キー操作判別手段
２０  動作設定手段
２１  マナーモード設定手段
２２  登録別動作設定手段
２３  モード選択手段
３０  シチュエーションモード設定手段
３１  シチュエーションモード選択手段
３２  シチュエーションモード追加削除手段
３３  シチュエーションモード名変更手段
４０  シチュエーション動作設定手段
４１  グループ別動作設定手段
４２  個別動作設定手段
４３  シチュエーション複製手段
４４  未登録一括動作設定手段
４５  出力動作別設定手段
【図１】
2005295430.tif 000003
【図２】
2005295430.tif 000004
【図３】
2005295430.tif 000005
【図４】
2005295430.tif 000006